(57)【要約】【課題】検査窓や出入り口の大きさ及び設置位置の制限を低減して、壁面の開放性を向上可能な磁気シールドルームを実現する。【解決手段】磁気シールドルーム１は磁気遮蔽材からなる天井板２と磁気遮蔽材からなる床板３と天井板２と床板３とを磁気的に接続する柱状継鉄４とを備え、柱状継鉄４の体積は、シールドルームの壁面から省略すべき磁気遮蔽材の体積より以上の体積とされる。ＭＲＩ装置５からの漏洩磁場はＭＲＩ装置５→天井面２→柱状継鉄４→床面３→ＭＲＩ装置５となり壁面への漏洩が抑制され壁面に使用する内部から外部への漏洩を低減するための磁磁気遮蔽材を削減することができる。また、シールドルーム１外部から内部へのＲＦノイズの遮蔽はメッシュ状の遮蔽材を使用することができるので、検査窓の配置位置や大きさに制限が加えられることは無い。【選択図】      図１
2004167104.tif 000002
【特許請求の範囲】
【請求項１】
磁気共鳴イメージング装置を収納する磁気共鳴イメージング装置用磁気シールドルームにおいて、
磁気シールドルームを形成する外側面のうち、互いに対向する２つの面に板状磁気遮蔽材を配置し、これら２つの面に配置された板状磁気遮蔽材を互いに磁気的に接続する柱状継鉄を備えることを特徴とする磁気共鳴イメージング装置用磁気シールドルーム。
【請求項２】
磁気共鳴イメージング装置を収納する磁気共鳴イメージング装置用磁気シールドルームにおいて、
磁気シールドルームを形成する外側面のうち、互いに対向する２つの面に板状磁気遮蔽材を配置し、これら２つの面に配置された板状磁気遮蔽材を互いに磁気的に接続する柱状継鉄を備え、上記互いに対向する２つの面を除く他の外側面には、視覚的に透過性を有する電磁波シールドが形成されていることを特徴とする磁気共鳴イメージング装置用磁気シールドルーム。
【請求項３】
磁気共鳴イメージング装置を収納する磁気共鳴イメージング装置用磁気シールドルームにおいて、
磁気シールドルームを形成する外側面のうち、互いに対向する２つの面に板状磁気遮蔽材を配置し、これら２つの面に配置された板状磁気遮蔽材を互いに磁気的に接続する複数の柱状継鉄を備え、これら複数の柱状継鉄のうち、少なくとも一つは他の柱状継鉄と断面積が異なることを特徴とする磁気共鳴イメージング装置用磁気シールドルーム。
【請求項４】
磁気共鳴イメージング装置を収納する磁気共鳴イメージング装置用磁気シールドルームにおいて、
磁気シールドルームを形成する外側面のうち、互いに対向する２つの面に板状磁気遮蔽材を配置し、これら２つの面に配置された板状磁気遮蔽材を互いに磁気的に接続し、互いに隙間をあけて配置される複数の短冊状強磁性体を備えることを特徴とする磁気共鳴イメージング装置用磁気シールドルーム。
【請求項５】
請求項４記載の磁気共鳴イメージング装置を収納する磁気共鳴イメージング装置用磁気シールドルームにおいて、上記複数の短冊状強磁性体間の亙いの隙間は、上記シールドルームに配置される磁気共鳴イメージング装置から離れるにしたがって大となるように配置されることを特徴とする磁気共鳴イメージング装置用磁気シールドルーム。
【請求項６】
磁気共鳴イメージング装置を収納する磁気共鳴イメージング装置用磁気シールドルームにおいて、
磁気シールドルームの複数の外側面には板状磁気遮蔽材を配置し、複数の外側面のうちの少なくとも一つの外側面に内部監視用窓を形成し、この内部監視用窓に複数の短冊状強磁性体を配置することを特徴とする磁気共鳴イメージング装置用磁気シールドルーム。
【発明の詳細な説明】
【０００１】
【発明の属する技術分野】
本発明は、磁気共鳴イメージング装置用の磁気シールドルームに関する。
【０００２】
【従来の技術】
磁気共鳴イメージング装置（ＭＲＩ装置）装置は、その磁場中心空間に強力な磁場を形成する装置である。ＭＲＩ装置が発生した強力な磁場が、ＭＲＩ装置の周囲に漏洩すると、例えば、０．５ｍＴ以上の磁場強度で心臓ぺ一スメーカを使用している患者や、０．１ｍＴ以上の磁場強度で使用するディスプレイに悪影響を及ぼす恐れがある。
【０００３】
また、ＭＲＩ装置に対して、外部からの磁場の侵入があると、均一な磁場をＭＲＩ装置において安定に保持することが困難となる。
【０００４】
そこで、ＭＲＩ装置の設定位置周囲への磁場の影響や、外部磁場からの影響を回避するために、ＭＲＩ装置は磁気シールドルーム内に設置する必要がある。この磁気シールドルームについては、例えば、非特許文献１に記載してある。この非特許文献１は、ＭＲＩ装置周囲への磁場の影響を低減するための磁気シールドルームに関するものであり、磁場解析手法の検討がなされている。
【０００５】
ここで、従来技術における磁気共鳴イメージング装置用磁気シールドルームについて図１１を参照して説明する。
【０００６】
図１１の（Ａ）は、斜視図であり、図１１の（Ｂ）は、天井面を省略した平面図である。図１１の（Ａ）、（Ｂ）に示すように、磁気シールドルームの天井面、壁面、床面（図１１の（Ａ）では隠れている）のに、例えぱ、ケイ素鋼板、鉄、パーマロイ等からなる板状の磁気遮蔽材１０２を配置する。
【０００７】
各面に配置した板状の磁気遮蔽材１０２は、各々磁気的に接合される。図１１の（Ｂ）に示すように、ＭＲＩ装置５の水平方向における漏洩磁場は符号１４で示すように広がる。なお、図１１において、符号１０８は操作者等がシールドルーム内を確認するための検査窓、１０９はシールドルームの出入り口、１１０は磁石搬入口である。
【０００８】
【非特許文献１】
「磁気シールドルーム設計のための磁場解析手法の検討」、日本応用磁気学会誌、Ｖｏｌ．  １８，  Ｎｏ．  ５，  １９９４，  ９３４頁〜９３９頁
【０００９】
【発明が解決しようとする課題】
ところで、図１１の（Ｂ）に示すように、磁気シールドルームの壁面のうち、ＭＲＩ装置５からの漏洩磁場の磁束密度が高い部分に、検査窓１０８などの開口部分を設けると、ＭＲＩ装置５からの漏洩磁場ＭＲＩ装置５のが磁気シールドルームの外に広がってしまう。このため、検査窓１０８の大きさはできるだけ小さくする必要がある。例えば、シールドルームが、長さ５．５〜６．０ｍ×幅４．５〜５．０ｍ×高さ２．５〜３．０ｍの場合、検査窓１０８は、１ｍ×１ｍ程度に制限される。
【００１０】
したがって、従来技術における磁気シールドルームでは、検査窓１０８や出入り口１０９の大きさが制限され、シールドルーム内にいる被検者（患者）は、シールドルーム内が狭く、閉鎖的な印象を受けることとなっていた。最近では、オープン型のＭＲＩ装置が市販され、使用されているが、ＭＲＩ装置自体が開放型となっていても、シールドルームが閉鎖的となっていると、被検者に閉鎖的な印象を与えることにもなる場合がある。
【００１１】
また、ＭＲＩ装置の操作者（放射線科医師）も、磁気シールドルーム内の様子を観察することが容易ではなく、作業効率が低いものとなっていた。
【００１２】
本明の目的は、検査窓や出入り口の大きさ及び設置位置の制限を低減して、壁面の開放性を向上可能な磁気シールドルームを実現することである。
【００１３】
【課題を解決するための手段】
上記目的を達成するため、本発明は次のように構成される。
（１）磁気共鳴イメージング装置を収納する磁気共鳴イメージング装置用磁気シールドルームにおいて、磁気シールドルームを形成する外側面のうち、互いに対向する２つの面に板状磁気遮蔽材を配置し、これら２つの面に配置された板状磁気遮蔽材を互いに磁気的に接続する柱状継鉄を備える。
【００１４】
（２）好ましくは、上記（１）において、上記互いに対向する２つの面は、天井面と床面である。
【００１５】
（３）また、好ましくは、上記（１）において、上記互いに対向する２つの面は壁面である。
【００１６】
（４）また、好ましくは、上記（１）において、上記柱状継鉄は、磁気シールドルームを支持する構造体の一部である。
【００１７】
（５）磁気共鳴イメージング装置を収納する磁気共鳴イメージング装置用磁気シールドルームにおいて、磁気シールドルームを形成する外側面のうち、互いに対向する２つの面に板状磁気遮蔽材を配置し、これら２つの面に配置された板状磁気遮蔽材を互いに磁気的に接続する柱状継鉄を備え、上記互いに対向する２つの面を除く他の外側面には、視覚的に透過性を有する電磁波シールドが形成されている。
【００１８】
（６）磁気共鳴イメージング装置を収納する磁気共鳴イメージング装置用磁気シールドルームにおいて、磁気シールドルームを形成する外側面のうち、互いに対向する２つの面に板状磁気遮蔽材を配置し、これら２つの面に配置された板状磁気遮蔽材を互いに磁気的に接続する複数の柱状継鉄を備え、これら複数の柱状継鉄のうち、少なくとも一つは他の柱状継鉄と断面積が異なる。
【００１９】
（７）また、好ましくは、上記（１）において、一方の板状磁気遮蔽材へ浸透した磁束が複数の柱状継鉄を介して外部へ漏れることなく他方の板状磁気遮蔽材へ浸透するように、柱状継鉄の断面積が決定されるのが望ましい。
【００２０】
（８）磁気共鳴イメージング装置を収納する磁気共鳴イメージング装置用磁気シールドルームにおいて、磁気シールドルームを形成する外側面のうち、互いに対向する２つの面に板状磁気遮蔽材を配置し、これら２つの面に配置された板状磁気遮蔽材を互いに磁気的に接続し、互いに隙間をあけて配置される複数の短冊状強磁性体を備える。
【００２１】
（９）好ましくは、上記（８）において、上記複数の短冊状強磁性体間の亙いの隙間は、上記シールドルームに配置される磁気共鳴イメージング装置から離れるにしたがって大となるように配置される。
【００２２】
（１０）磁気共鳴イメージング装置を収納する磁気共鳴イメージング装置用磁気シールドルームにおいて、磁気シールドルームの複数の外側面には板状磁気遮蔽材を配置し、複数の外側面のうちの少なくとも一つの外側面に内部監視用窓を形成し、この内部監視用窓に複数の短冊状強磁性体を配置する。
【００２３】
磁気共鳴イメージングＩ装置からの漏洩磁場は磁気共鳴イメージング装置→互いに対向する２つの外側面→磁気共鳴イメージング装置となり、２つの側面以外の他の外側面への漏洩が抑制され外側面に使用する内部から外部への漏洩を低減するための磁磁気遮蔽材を削減することができる。
【００２４】
また、シールドルーム外部から内部へのＲＦノイズの遮蔽はメッシュ状の遮蔽材等の視覚的に透過性を有するものを使用することができるので、検査窓の配置位置や大きさに制限が加えられることは無い。
【００２５】
【発明の実施の形態】
以下、本発明の実施形態を、添付図面を参照して説明する。
図１は、本発明の第１の実施形態である磁気シールドルーム１の主要構成斜視図及び天井面を省略した平面図である。
【００２６】
なお、図１に示した例は、垂直磁場方式の（主磁場の向きが重直方向である）ＭＲＩ装置５を収納する場合の磁気シールドルームである。
【００２７】
また、天井面、床面、壁面の六面のそれぞれを磁気シールドルームを形成する外側面とする。
【００２８】
垂直磁場方式のＭＲＩ装置５では、漏洩する磁束の大部分は、ＭＲＩ装置５の上方（＋Ｚ方向（天井方向））から放射状に吹出し、空気中を通過して、ＭＲＩ装置５の下方（−Ｚ方向（床面））からＭＲＩ装置５に戻る経路を通過する。
【００２９】
垂直磁場方式のＭＲＩ装置５を収納する場合の例では、磁気シールドルーム１の天井面２と床面３に、ケイ素鋼板、一般構造圧延材、純鉄等の強磁性体からなる板状の磁気遮蔽材を配置する。
【００３０】
そして、板状の磁気遮蔽材である天井面２と床面３とを磁気的に結合する、ケイ素鋼板、一般構造圧延材、純鉄等の強磁性体からなる柱状継鉄４を配置する。柱状継鉄４の本数は、ＭＲＩ装置５からの漏洩磁場の大きさなどに依存するが、磁気シールドルームの壁面部分に充分な開口部を設けるために２〜４本が望ましい（ただし、柱状継鉄は１本であってもよい）。
【００３１】
図１に示した例においては、柱状継鉄４は２本の場合の例を示す。この構成により、天井面２と床面３の板状磁気遮蔽材及び柱状継鉄４による磁気回路が形成され、壁面部分を磁気回路の一部としなくとも磁気シールドルーム１外の漏洩磁場は抑制されることとなる。
【００３２】
図２は、図１の構成の磁気シールドルーム１内に配置されたＭＲＩ装置５からの漏洩磁束の流れを示す図である。
図２において、ＭＲＩ装置５からの主磁場６は天井面２に向かい、磁束の流れ７は、磁気シールドルーム１の天井面２→柱状継鉄４→床面３→ＭＲＩ装置５となる。磁気遮蔽材の厚さや柱状継鉄４の断面積等は、計算機によるシミュレーション等により、ＭＲＩ装置５からの漏洩磁場を十分に捕捉できるだけの量を見積もっておく。
【００３３】
つまり、磁気シールドルーム１の磁石搬入口９壁面以外の３面の壁面における、外部への磁気遮蔽材料を省略する場合は、上又は下の板状磁気遮蔽材へ浸透した磁束が外部へ漏れることなく、他方の板状磁気遮蔽材へ浸透するように、２本の柱状継鉄４の横断面積が決定される。
【００３４】
また、一般に磁気回路では磁束の経路が短いほど磁気抵抗は小さくなるので、ＭＲＩ装置５から漏洩した磁束を捕捉するためには、柱状継鉄４は磁気シールドルームの４隅のうち、ＭＲＩ装置５に近接する隅に配置するのが望ましい。
【００３５】
図１の（Ｂ）には、ＭＲＩ装置５の水平方向における漏洩磁場の広がり１４を示している。図１の（Ｂ）に示した例は、図１１の（Ｂ）に示した例と比較して、水平方向漏洩磁場は柱状継鉄４側に吸引され、図の上下方向（シールドルーム１の床面長手方向）が短縮された形状となっている。
【００３６】
これは、シールドルーム天井面２及び床面３に使用する磁気遮蔽材料を、水平方向漏洩磁場形状が短縮された分だけ省略することができ、磁気遮蔽材料の使用量を低減することができることとなる。
【００３７】
図３は、図１に示した磁気遮蔽材が使用さた磁気シールドルーム１の完成斜視図である。この図３に示すように、検査窓８が形成される壁面の磁気遮蔽材は、内部から外部への磁気漏洩用の部材は省略でき、外部から内部への磁気遮蔽用のみとなる。この外部から内部への磁気遮蔽用部材は、視覚的に透過性を有する電磁波シールドとすることができる。したがって、検査窓（内部監視用窓）８の大きさや位置の制限が緩和され、操作者が内部を充分に観察可能な大きさとすることができる。
【００３８】
以上のように、本発明の第１の実施形態によれば、磁気遮蔽材からなる天井板２と、磁気遮蔽材からなる床板３と、天井板２と床板３とを磁気的に接続する柱状継鉄４とを備え、柱状継鉄４の体積は、シールドルームの壁面から省略すべき磁気遮蔽材の体積より以上の体積とされる。
【００３９】
このため、ＭＲＩ装置５からの漏洩磁場は、ＭＲＩ装置５→天井面２→柱状継鉄４→床面３→ＭＲＩ装置５となり、壁面への漏洩が抑制されるため、壁面に使用する内部から外部への漏洩を低減するための磁気遮蔽材を削減することができる。
【００４０】
また、シールドルーム１外部から内部へのＲＦノイズの遮蔽はメッシュ状の遮蔽材を使用することができるので、検査窓の配置位置や大きさに制限が加えられることは無い。
【００４１】
さらに、漏洩磁場の水平方向広がり面積が短縮されるため、磁気遮蔽材料の使用量を低減することができることとなり、柱状継鉄４の設置に伴うコストアップが生じたとしても、このコストアップ分を吸収することが可能である。
【００４２】
したがって、本発明の第１の実施形態によれば、コストアップを伴うことなく、検査窓や出入り口の大きさ及び設置位置の制限を低減して、壁面の開放性を向上可能な磁気シールドルームを実現することができる。
【００４３】
図４は、本発明の第１の実施形態における板状遮蔽材および柱状継鉄を配設した磁気シールドルームの支持構造を示す図である。
【００４４】
図４において、壁面の開口部には、検査窓８、出入り口１０等を設けるために、例えば、ステンレス等の非磁性構造部材により、支持柱および枠組を形成する。図４に示した例では、検査窓枠５１、出入り口枠５２、搬入扉枠５３が形成されている。この場合、２本の柱状継鉄４は、磁気シールドルーム１の支持構造の一部を兼ねてもよい。
【００４５】
また、図５は、第１の実施形態において、検査窓８、磁石搬入口９、出入り口１０等を配設した構造の図である。この図５において、検査窓８には、銅メッシュ等の透過性を有するＲＦシールド１１ａ、１１ｂを配設する。
【００４６】
また、磁石搬入口９及び出入り口１０の扉にも透過性を有するＲＦシールドを配設してもよい。この場合、扉部分に配設するＲＦシールド材は、破損しにくいように、ガラス、樹脂等の透過性のある補強材を付加する。
【００４７】
また、開放性を向上させるために、図４に示した検査窓枠５１、出入り口枠５２、搬入扉枠５３以外の枠部分にも透過性を有するＲＦシールドを配設するが望ましい。
【００４８】
このように、磁気シールドルーム１の壁面のうち、柱状継鉄４近傍の壁面以外は、板状の磁気遮蔽材を配置する必要がないので、検査窓８や出入り口１０の位置や大きさの制限は大幅に低減され、さらに透過性を有するＲＦシールド材を併用することで、開放性を有する磁気シールドルームを形成することができる。
【００４９】
図６は、本発明の第２の実施形態である磁気シールドルームの主要構成斜視図であり、図７は、第２の実施形態におけるＭＲＩ装置５からの漏洩磁束の流れを示す図である。
【００５０】
この第２の実施形態においては、磁気シールドルーム１に使用する柱状継鉄の本数が４本である場合の例である。天井面２と床面３に配置した板状磁気遮蔽材と４本の柱状継鉄４１ａ、４１ｂ、４２ａ、４２ｂは、磁気的に結合されている。
【００５１】
図６に示すように、ＭＲＩ装置５からの漏洩磁場は、ＭＲＩ装置５→天井面２→柱状継鉄４１ａ、４１ｂ→床面３→ＭＲＩ装置５の経路と、ＭＲＩ装置５→天井面２→柱状継鉄４２ａ、４２ｂ→床面３→ＭＲＩ装置５の経路となる。
【００５２】
柱状継鉄の本数を４本とすることにより、ＭＲＩ装置５からの漏洩磁場は、板状磁気遮蔽材および柱状継鉄により形成された磁気回路内に、適当に分配されるので、板状磁気遮蔽材および柱状継鉄を有効に使用できる。
【００５３】
また、ＭＲＩ装置５から離れて位置する２本の柱状継鉄４２ａ、４２ｂの断面積は、ＭＲＩ装置５に隣接する２本の柱状継鉄４１ａ、４１ｂの断面積より小さくしてもよい。この場合は、図１に示した例と同様に、漏洩磁場の水平方向広がり面積が短縮される。
【００５４】
柱状継鉄４１ａ、４１ｂ、４２ａ、４２ｂの断面積や位置は、磁気シールドルーム１の開放性を損なわないために、検査窓や出入り口に干渉することなく、最適化されるのが望ましい。
【００５５】
なお、柱状継鉄４１ａ、４１ｂ、４２ａ、４２ｂの合計体積は、シールドルーム１の壁面から省略すべき磁気遮蔽材の体積より以上の体積とされる。
【００５６】
本発明の第２の実施形態によれば、壁面に使用すべき磁気遮蔽材の量を低減することができるので、検査窓や出入り口の大きさ及び設置位置の制限を低減して、壁面の開放性を向上可能な磁気シールドルームを実現することができる。
【００５７】
図８は、本発明の第３の実施形態である磁気シールドルーム１の主要構成図である。この第３の実施形態は、主磁場６１が水平方向であるＭＲＩ装置５４を配置した場合の例である。
【００５８】
図８において、磁気シールドルーム１を構成する壁面のうち、ＭＲＩ装置５４からの主磁場６１の磁束方向に面し、互いに対向する２つの壁面２１、３１に板状の磁気遮蔽材を配置する。そして、これら２つの壁面２１、３１における板状の磁気遮蔽材を磁気的に結合する２本の柱状継鉄４３を天井側に配置する。
【００５９】
この場合、磁気シールドルーム１の構成から、開放性を損なうことがない場合、磁気遮蔽材を配置した２つの壁面２１、３１以外の壁面側に柱状継鉄を配置してもよい。
【００６０】
また、柱状継鉄４３の体積は、壁面２１、３１以外の壁面や床面に使用されるであろう磁気遮蔽材料の体積より以上となるように決定される。
【００６１】
この第３の実施形態においても、第２の実施形態と同様な効果を得ることができる。
【００６２】
図９は、本発明の第４の実施形態である磁気シールドルームの主要構成図である。この第４の実施形態においては、柱状継鉄を用いる代わりに、間隔をおいて配設した短冊状磁気遮蔽材６１が用いられている。
【００６３】
なお、図９に示した例は、垂直磁場方式のＭＲＩ装置を収納する磁気シールドルームの例である。例えぱ、ケイ素鋼板等の強磁性体からなる短冊状磁気遮蔽材６１は、天井面２と床面３に配設した板状磁気遮蔽材を磁気的に結合する。
【００６４】
この構成により、ＭＲＩ装置５の＋Ｚ方向から漏洩した磁束は、天井面２の板状磁気遮蔽材、短冊状磁気遮蔽材６１、床面３の板状磁気遮蔽材からなる磁気回路中を通過し、ＭＲＩ装置５の−Ｚ方向から戻る。
【００６５】
また、ＭＲＩ装置５に隣接する領域では、磁束密度が高いので、短冊状磁気遮蔽材６１の互いの配置間隔は、ＭＲＩ装置５に隣接する壁面では密とし、ＭＲＩ装置５から遠い場所では疎となるように配設する。
【００６６】
上記構成により、磁気遮蔽材の使用量を低減することができる。
【００６７】
以上のように、本発明の第４の実施形態によれば、壁面の開放性を向上可能な磁気シールドルームを実現することができる。
【００６８】
図１０は、本発明の第５の実施形態である磁気シールドルームの主要構成図である。この第５の実施形態は、壁面に設けた開口部に短冊状磁気遮蔽材６２を配置した壁面６３を形成する例である。
【００６９】
板状磁気遮蔽材を配置した磁気シールドルームの天井面、床面、壁面のうち、検査窓等を設けるために開口部を設けた場合に、この開口部に例えばケイ素鋼板などの強磁性体からなる複数の短冊状磁気遮蔽材６２を互いに隙間を設けて配置する。この構成により、検査窓等の開口部を大きくすることが可能となる。
【００７０】
以上のように、本発明の第５実施形態によれば、壁面の開放性を向上可能な磁気シールドルームを実現することができる。
【００７１】
【発明の効果】
本発明によれば、検査窓や出入り口の大きさ及び設置位置の制限を低減して、壁面の開放性を向上可能な磁気シールドルームを実現することができる。
【００７２】
これによって、ＭＲＩ装置の操作者が磁気シールドルーム内の様子を観察することが容易となり、作業効率を向上することができる。
【図面の簡単な説明】
【図１】本発明の第１の実施形態である磁気シールドルーム１の主要構成斜視図及び天井面を省略した平面図である。
【図２】図１の構成の磁気シールドルーム内に配置されたＭＲＩ装置からの漏洩磁束の流れを示す図である。
【図３】図１に示した磁気遮蔽材が使用さた磁気シールドルームの完成斜視図である。
【図４】本発明の第１の実施形態における板状遮蔽材および柱状継鉄を配設した磁気シールドルームの支持構造を示す図である。
【図５】第１の実施形態において検査窓、磁石搬入口、出入り口等を配設した構造の図である。
【図６】本発明の第２の実施形態である磁気シールドルームの主要構成斜視図である。
【図７】第２の実施形態におけるＭＲＩ装置５からの漏洩磁束の流れを示す図である。
【図８】本発明の第３の実施形態である磁気シールドルーム１の主要構成図である。
【図９】本発明の第４の実施形態である磁気シールドルームの主要構成図である。
【図１０】本発明の第５の実施形態である磁気シールドルームの主要構成図である。
【図１１】従来技術における磁気シールドルームの主要構成図である。
【符号の説明】
１              磁気シールドルーム
２              天井面
３              床面
４              柱状継鉄
５              ＭＲＩ装置
６              主磁場
７              磁束の流れ
８              検査窓
９              磁石搬入口
１０            出入り口
１１ａ、１１ｂ        ＲＦシールド
１４            ＭＲＩ装置の漏洩磁場
２１、３１      板状磁気遮蔽材
４１ａ、４１ｂ    柱状継鉄
４２ａ、４２ｂ    柱状継鉄
４３            はり状の継鉄
５１            検査窓枠
５２            出入り口枠
５３            搬入口扉枠
５４            ＭＲＩ装置
６１、６２      短冊状磁気遮蔽材
６３            磁気遮蔽壁
【図１】
2004167104.tif 000003
【図２】
2004167104.tif 000004
【図３】
2004167104.tif 000005
【図４】
2004167104.tif 000006
【図５】
2004167104.tif 000007
【図６】
2004167104.tif 000008
【図７】
2004167104.tif 000009
【図８】
2004167104.tif 000010
【図９】
2004167104.tif 000011
【図１０】
2004167104.tif 000012
【図１１】
2004167104.tif 000013